(57)【要約】【課題】  扉を開けたときの室内側への出幅を少なくしながら、換気量を大きく取ることのできる建具の提供。【解決手段】  障子１ｂに設けた換気用の開口部２と、開口部２を開閉する内倒し式の扉３を備え、扉３は、室内側壁４が室外側に屈曲し、その先端にヒンジ部５を設けてあり、ヒンジ部５を障子１ｂの横部材６に連結してあり、扉３の室内側壁４の垂直な部分４ａの室外側面と横部材６との間にタイト部７ｂが設けてある。【選択図】      図１
2019173330.tif 000002
【特許請求の範囲】
【請求項１】
障子に設けた換気用の開口部と、開口部を開閉する内倒し式の扉を備え、扉は、室内側壁が室外側に屈曲し、その先端にヒンジ部を設けてあり、ヒンジ部を障子の横部材に連結してあり、扉の室内側壁の垂直な部分の室外側面と横部材との間にタイト部が設けてあることを特徴とする建具。
【発明の詳細な説明】
【技術分野】
【０００１】
本発明は、障子に換気装置が組み込まれた建具に関する。
【背景技術】
【０００２】
従来より、障子に換気用小窓を設け、障子を閉めた状態で換気用小窓を開けることで換気が行えるサッシが知られている（例えば、特許文献１参照。）。換気用小窓には、内倒し式の扉が設けられているが、この扉は室内側に倒すと扉が室内側に大きく出っ張るので、扉の開き角度を大きくできず、換気量が小さい問題があった。
【先行技術文献】
【特許文献】
【０００３】
【特許文献１】特開２００３−９０１７８号公報
【発明の概要】
【発明が解決しようとする課題】
【０００４】
本発明は以上に述べた実情に鑑み、扉を開けたときの室内側への出幅を少なくしながら、換気量を大きく取ることのできる建具の提供を目的とする。
【課題を解決するための手段】
【０００５】
上記の課題を達成するために請求項１記載の発明による建具は、障子に設けた換気用の開口部と、開口部を開閉する内倒し式の扉を備え、扉は、室内側壁が室外側に屈曲し、その先端にヒンジ部を設けてあり、ヒンジ部を障子の横部材に連結してあり、扉の室内側壁の垂直な部分の室外側面と横部材との間にタイト部が設けてあることを特徴とする。
【発明の効果】
【０００６】
請求項１記載の発明による建具は、障子に設けた換気用の開口部と、開口部を開閉する内倒し式の扉を備え、扉は、室内側壁が室外側に屈曲し、その先端にヒンジ部を設けてあり、ヒンジ部を障子の横部材に連結してあることで、扉を少ない出幅で大きな開放角度で開くことができるので、換気量を大きく取ることができる。さらに、扉の室内側壁の垂直な部分の室外側面と横部材との間にタイト部が設けてあることで、水密性・気密性が優れている。
【図面の簡単な説明】
【０００７】
【図１】図３のＡ−Ａ断面図である。
【図２】図３のＢ−Ｂ断面図である。
【図３】本発明の建具の一実施形態を示す室内側正面図である。
【図４】図３のＡ−Ａ断面図であって、扉を開けたときの状態を示す。
【図５】本発明の建具の他の実施形態を示す室内側正面図である。
【図６】図５のＣ−Ｃ断面図である。
【図７】図５のＣ−Ｃ断面図であって、扉を開けたときの状態を示す。
【発明を実施するための形態】
【０００８】
以下、本発明の実施の形態を図面に基づいて説明する。図１〜４は、本発明に係る建具の一実施形態を示している。本建具は、改修用サッシに適用したものであり、図１〜３に示すように、躯体開口部に取付けられている既設枠８の内周側に設けた新設枠９と、新設枠９内に引違い状に開閉自在に納めた外障子１ａ及び内障子１ｂとを備える。
新設枠９は、上枠１０と下枠１１と左右の縦枠１２，１２を四方枠組みして構成してある。上枠１０と縦枠１２の室内側にはカバー材１３ａ，１３ｂが取付けられ、カバー材１３ａ，１３ｂにより既設枠８および新設枠９を隠している。
【０００９】
外障子１ａは、図２，３に示すように、上框１４と下框１５と戸先框１６と召合せ框１７を四周框組みし、その内側にガラスパネル（複層ガラス）１８を嵌め込んで構成してある。内障子１ｂは、図１〜３に示すように、上框１４と下框１５と戸先框１６と召合せ框１７を四周框組みすると共に、上框１４の内周側に沿って横型の換気装置１９を設け、換気装置１９と下框１５の間の開口部にガラスパネル１８を嵌め込んで構成してある。
【００１０】
換気装置１９は、図１，２に示すように、アルミ形材よりなる上横部材２０と下横部材６と左右の縦部材２１，２１とを枠組みすることで、室内外に連通する換気用の開口部２を形成し、開口部２を開閉する内倒し式の扉３を設けたものとなっている。開口部２の室外側には、防虫網２２が取付けてある。換気装置１９は、図１に示すように、扉３の操作部２３と、下横部材６に設けられる結露水受け２４を除き、障子１ｂの見込み寸法Ａ内に納まっている。
【００１１】
上横部材２０は、図１に示すように、外周側に上框１４のガラス保持溝２５内に挿入すると弾発的に係止して抜け止めされる一対の係止片２６，２６を有し、室内側の係止片２６にはパッキン２７が設けてある。上横部材２０の内周側には、室外側端部に防虫網２２の押さえゴム２８が取付けられる溝２９が形成してあると共に、内周側に突出する突片３０を有し、突片３０の下部が扉３の室外側壁３１の室外側に重なっている。突片３０の室内側面には、扉３の室外側面に当接するタイト材３２が設けてある。上横部材２０の内周側面の室内側寄りの位置には、タイト材ホルダー３３ａが内周側に突出して設けてあり、タイト材ホルダー３３ａにタイト材７ａが室内側に向けて設けてある。また、上横部材２０の内周側面には、ラッチ受け３４が取付けてある。
【００１２】
下横部材６は、図１に示すように、中空部３５を有する形材となっており、内周側にガラス保持溝３６が上框１４のガラス保持溝２５と同じ溝幅で形成されており、そのガラス保持溝３６にガラスパネル１８の端部を挿入し、グレチャン３７で固定してある。下横部材６の室外側端部には、防虫網２２の押さえゴム２８が取付けられる溝２９が形成してある。下横部材６の外周側面には、見込方向中間位置に外周側に向けて突出する突壁３８を有し、突壁３８の先端部にタイト材ホルダー３３ｂが設けてあり、タイト材ホルダー３３ｂにタイト材７ｂが室内側に向けて設けてある。突壁３８の根元の室内側には、扉３のヒンジ部５が嵌合するヒンジ部受け３９が設けてあり、ヒンジ部受け３９の下方に隣接して、扉３に生じた結露水を受ける結露水受け２４が設けてある。結露水受け２４には、左右両端部に排水部品４０が取付けてあり、結露水受け２４に溜まった結露水は、排水部品４０により下横部材６の中空部３５内に導かれる。
【００１３】
左右の縦部材２１は、図２に示すように、外周部に戸先框１６と召合せ框１７のガラス保持溝２５内にそれぞれ挿入係止される一対の係止片４１，４１を有している。縦部材２１の内周側には、室外側端部に防虫網２２の押さえゴム２８が取付けられる溝２９が形成してあると共に、その内周側にタイト材４２が内周側に向けて突出して設けてあり、タイト材４２の先端部が扉３の室外側面に当接している。縦部材２１の内周側面の室内側寄りの位置には、タイト材ホルダー３３ｃが内周側に突出して設けてあり、タイト材ホルダー３３ｃにタイト材７ｃが室内側に向けて設けてある。縦部材２１の下部には、図１に示すように、切欠き４３が設けてあり、下横部材６の中空部３５に入った結露水は、図１，２中の矢印４４に示すように、切欠き４３から竪框（戸先框１６及び召合せ框１７）のガラス保持溝２５内に流れ、竪框の下端より室外に排水される。
上横部材２０に設けたタイト材７ａと、下横部材６に設けたタイト材７ｂと、縦部材２１に設けたタイト材７ｃとは、端部同士を突き合わせて連続させてある。
【００１４】
扉３は、図１，２に示すように、室外側壁３１と室内側壁４と上下の見込み壁４５ａ，４５ｂとを有するアルミ製の中空形材４６と、中空形材４６の左右両端部に取付けたＬ形断面の側部材４７，４７とで構成してある。扉３の室内側壁４の上部は、図１に示すように、上側の見込み壁４５ａよりも上方に突出し、その上端部の室外側面に、上横部材２０に設けたタイト材７ａが当接している。扉３の室内側壁４の下部は、下側の見込み壁４５ｂよりも下方に垂下しており、下側に斜め４５°で屈曲して室外側にのびる屈曲部４８を有し、屈曲部４８の先端に扉３の回動軸となるヒンジ部５が設けてある。このように、扉３の室内側壁４の下部を室外側に屈曲させ、その先端にヒンジ部５を設けることで、ヒンジ部５を障子１ｂの見込み方向の中心寄りに設定している。屈曲部４８の上方の室内側壁４の垂直な部分４ａの室外側面には、下横部材６に設けたタイト材７ｂが当接している。
左右の側部材４７は、図２に示すように、扉本体（中空形材４６）の室内側壁４と面一状に外周側に突出する突片５２を有し、突片５２の室外側面に縦部材２１に設けたタイト材７ｃが当接している。
【００１５】
扉３は、図１に示すように、中空部内にラッチ錠４９が設けてあり、ラッチボルト５０が上側の見込み壁４５ａより突出し、ラッチ受け３４と係合している。扉３の室内側面には、扉３の開閉操作を行うための操作部２３が設けてある。
【００１６】
換気を行う際には、操作部２３を下向きに操作することで、ラッチボルト５０を下降させてラッチ受け３４から外し、図４に示すように、扉３をヒンジ部５を支点として室内側に倒し、開口部２を開放する。扉３は、室内側に４５°倒れるようになっている。先に述べたように、ヒンジ部５を障子１ｂの見込み方向の中心寄りに設定したことで、扉３を少ない出幅で大きな開放角度で開くことができ、これにより換気量を大きく取ることができる。
【００１７】
図５〜７は、本発明に係る建具の他の実施形態を示している。本実施形態では、換気装置１９を内障子１ｂの下框１５の内周側に沿って設けている。この場合は、図６に示すように、開口部２を構成する上横部材２０に中空部５１と、その内周側にガラス保持溝３６を設け、下横部材６に、下框１５のガラス保持溝２５内に挿入・係止される一対の係止片２６，２６を設けている。それ以外の点は、換気装置１９を上框１４側に設ける場合と同じ構造になっている。
【００１８】
以上に述べたように本建具は、障子１ｂに設けた換気用の開口部２と、開口部２を開閉する内倒し式の扉３を備え、扉３は、室内側壁４が室外側に屈曲し、その先端にヒンジ部５を設けてあり、ヒンジ部５を障子１ｂの横部材６に連結してあることで、扉３を少ない出幅で大きな開放角度で開くことができるので、換気量を大きく取ることができる。さらに、扉３の室内側壁４の垂直な部分４ａと横部材６との間にタイト部（タイト材７ｂ）が設けてあることで、水密性・気密性が優れている。
また本建具は、開口部２を構成する下横部材６に、ヒンジ部５を受けるヒンジ部受け３９の下方に隣接して結露水受け２４を有するので、扉３に結露が生じても結露水が障子１ｂに垂れることがない。
さらに本建具は、換気装置１９の本体部（扉３の操作部２３を除いた部分）が障子１ｂの見込み寸法Ａ内に納まっているので、換気装置１９が邪魔にならず、意匠性も良い。
【００１９】
本発明は以上に述べた実施形態に限定されない。扉の屈曲部の長さや角度、ヒンジ部の形態は、適宜変更することができる。扉のヒンジ部を、障子の下框に直接連結することもできる。扉の室内側壁の垂直な部分の室外側面と横部材との間のタイト部は、扉側にタイト材を取付けて構成することもできる。障子や枠の構成は任意である。障子は、枠に固定した嵌め殺し障子であってもよい。本発明は、引違い窓に限らず、片引き窓、開き窓、玄関戸など、あらゆる建具に適用することができる。また、改修用の建具に限らず、新規に設置する建具にも適用できることは言うまでもない。
【符号の説明】
【００２０】
１ａ  外障子（障子）
１ｂ  内障子（障子）
２  開口部
３  扉
４  扉の室内側壁
５  ヒンジ部
６  下横部材（横部材）
７ａ，７ｂ，７ｃ  タイト材（タイト部）
【図１】
2019173330.tif 000003
【図２】
2019173330.tif 000004
【図３】
2019173330.tif 000005
【図４】
2019173330.tif 000006
【図５】
2019173330.tif 000007
【図６】
2019173330.tif 000008
【図７】
2019173330.tif 000009